(57)【要約】【課題】この発明は、簡単な構造で、チューブ体を搬送ラインの一定位置に可及的に正確に停止させ、しかも紙袋の製造効率を一層向上させるようにした紙袋製造装置を提供する。      【解決手段】この発明は、紙のチューブ体を搬送するベルト、あるいはチェーン等の搬送手段４を有する搬送ライン２にチューブ体に対して所定の加工処理を施す加工処理手段６，７を介在させるようにした紙袋製造装置１において、前記搬送手段４をカムを主要構成要素とするインデックス機構３０を介して駆動するようにした。  【選択図】  図１
2007083585.tif 000002
【特許請求の範囲】
【請求項１】
紙袋製造用の紙のチューブ体をベルト、あるいはチェーン等の搬送手段により搬送するチューブ体搬送ラインと、該チューブ体搬送ラインに介在され前記紙のチューブ体に対して所定の加工処理を施す加工処理手段とを少なくとも有する紙袋製造装置において、
前記搬送手段をカムを主要構成要素とするインデックス機構を介して駆動するようにしたことを特徴とする紙袋製造装置。
【請求項２】
前記インデックス機構は、ローラギャカム機構からなることを特徴とする請求項１に記載の紙袋製造装置。
【請求項３】
前記インデックス機構は、バレルカム機構からなることを特徴とする請求項１に記載の紙袋製造装置。
【発明の詳細な説明】
【技術分野】
【０００１】
この発明は、紙のチューブ体に接着剤の塗布処理、あるいは接着テープの貼着処理等の加工処理を施して最終製品としての紙袋を製造するようにした紙袋製造装置に関する。
【背景技術】
【０００２】
従来から、紙袋製造装置では、ベルト、あるいはチェーン等の搬送手段を有する搬送ラインの途中に、紙のチューブ体に対して所定の加工処理を施す加工処理手段を配設するようにしている。
【０００３】
この搬送ラインの途中に配設される加工処理手段の代表的なものとして、例えば紙袋の口部に貼着される口部封緘用テープの貼着処理手段、底部への接着剤の塗布処理を行なう接着剤塗布処理手段、これらテープが貼着された口部あるいは接着剤が塗布された底部等をプレス加工処理するプレス加工処理手段等がある。
【０００４】
そして、上述した各加工処理手段は、ベルト、あるいはチェーン等の搬送手段を有する搬送ラインと連動して駆動されている。
【０００５】
従って、上述した紙袋製造装置によると、搬送ラインの上流に紙袋のチューブ体が配置されると、そのチューブ体は搬送ラインによって下流へ搬送され、その間に、上述した各種の加工処理手段により、紙袋のチューブ体に対して所定の加工処理が施され、搬送ラインの下流に到達する際には、チューブ体の底部が封緘され、口部には口部封緘用のテープが貼着された最終製品の紙袋が製造されることとなる。
【発明の開示】
【発明が解決しようとする課題】
【０００６】
ところで、上述した従来の紙袋製造装置では、搬送ラインの搬送手段を単なるモータで駆動しており、このためモータの回転速度の不一致に基づくチューブ体走行位置のバラツキなどが原因で、搬送ライン上でチューブ体が各種加工処理手段による正確な加工処理位置に停止することが出来ず、このため加工処理手段による加工の際、例えば接着剤塗布手段による接着剤塗布処理の場合はチューブ体に対する接着剤(糊)のはみ出し等が発生し、紙袋の不良品が発生したり、機械の汚れを発生させる要因となっていた。
【０００７】
なお、モータをステッピングモータ及びこれを制御する制御手段を使用して、上述した難点を解決することは可能であるが、そうすると、高価なモータ及び制御装置を使用するから、装置全体が複雑で高価となるばかりでなく、作動トルクが比較的小さいので、機械動作の立ち上がりが遅く紙袋の製造スピードが低下する難点もある。
【０００８】
この発明は、上述した事情に鑑み、簡単な構造で、チューブ体を搬送ラインの一定位置に可及的に正確に停止させ、しかも紙袋の製造効率を一層向上させるようにした紙袋製造装置を提供することを目的とする。
【課題を解決するための手段】
【０００９】
上述した課題を解決するため、この発明では、紙袋製造用の紙のチューブ体をベルト、あるいはチェーン等の搬送手段により搬送するチューブ体搬送ラインと、該チューブ体搬送ラインに介在され前記紙のチューブ体に対して所定の加工処理を施す加工処理手段とを少なくとも有する紙袋製造装置において、前記搬送手段をカムを主要構成要素とするインデックス機構を介して駆動するようにしている。
【発明の効果】
【００１０】
上述した、紙袋製造装置によれば、紙のチューブ体を搬送するベルト、あるいはチェーン等の搬送手段を有する搬送ラインを、カムを主要構成要素とするインデックス機構を介して駆動すると、もともとバックラッシュのないインデックス機構により搬送手段が駆動され、さらにインデックス機構により搬送手段の初期搬送トルクが大きくなり、さらにその動作停止も迅速となるので、搬送ラインを搬送されるチューブ体の位置決め停止精度（割出精度）が極めて高くなり、このため加工処理手段によるチューブ体への加工処理が一層正確となって、不良品の発生を可及的に低減させることが出来るとともに、その紙袋の加工処理速度を向上させて、紙袋の製造効率を一層高めることが出来る。
【発明を実施するための最良の形態】
【００１１】
以下、この発明に係る紙袋製造装置の一実施例を詳述する。
【００１２】
図１はこの発明に係る紙袋製造装置１を示す概念正面図である。
【００１３】
この紙袋製造装置１は、図面左右方向に沿い、且つ上下に対向して配設され、その間に紙のチューブ体を把持して搬送する複数個のローラ２，３からなるローラコンベア方式の搬送手段４を有するチューブ体搬送ライン５と、この搬送ライン５の上流Ａから下流Ｂとの間に配設され、紙のチューブ体に対して所定の加工処理を施す加工処理手段とからなり、実施例では加工処理手段として紙袋の口部に貼着される口部封緘用テープの貼着処理手段６と、これらテープが貼着された口部をプレス加工処理するプレス加工処理手段７が配設された例を示している。
【００１４】
なお、図１で符号８は送りロール部で、この送りロール部８はチューブ体を搬送手段４のローラ２，３間に送り込むものである。また符号９は所定のタイミングで上下動するストッパで、このストッパ９は所定タイミングで搬送手段４の一対のローラ２，３間へチューブ体の進入を許容するものである。
【００１５】
一方、上述した複数個のローラ２，３からなる搬送手段４、および上述した貼着処理手段６、送りロール部８、ストッパ９等は連動手段１０を介して一つの駆動手段２０により所定のタイミングで駆動される。
【００１６】
このうち、連動手段１０は、動力伝達ベルト１１と、この動力伝達ベルト１１が巻回する従動プーリ１２とから構成されている。
【００１７】
一方、駆動手段２０は、周知の駆動モータと、この駆動モータに連結された図２に示すカムを主要構成要素としたインデックス機構３０とから構成されている。
【００１８】
このインデックス機構３０は、図２に示す実施例では、図示せぬ駆動モータにより回転する入力軸３１に固着された回転カム３２とこの回転カム３２のカム溝３２ａに嵌挿したローラ３３を周面に複数有するローラギャ３４とを有するローラギャカム機構３５とからなり、このローラギャ３４に出力軸３６が固着されている。
【００１９】
なお、インデックス機構３０としては、図３に示すローラギャカム機構３５のほかに、図３で示すようにバレルカム機構４０を使用したもの、あるいは図示せぬパラレルカム機構を使用したものでも良く、要はカム機構を主要構成要素としたインデックス機構３０であればいかなるタイプのインデックス機構を使用しても良い。
【００２０】
上述した構成の紙袋製造装置１によると、図１に示す駆動手段２０の駆動モータ５０が駆動されると、その駆動力は図２に示すインデックス機構３０の入力軸３１に伝達され、出力軸３６に伝達される。
【００２１】
この出力軸３６に動力が伝達されると、その動力は、当該出力軸３６に固着された図１に示す駆動プーリ５１及び、この駆動プーリ５１に巻回された動力伝達ベルト５２を介して複数個のローラ２，３からなる搬送手段４の従動プーリ１２に伝達され、これにより当該搬送手段４は、その駆動が開始される。
【００２２】
その際、図２に示すように、出力軸３５はバックラッシュもなく、しかも初期トルクが大きいローラギャ３４により駆動されるため、搬送手段４の複数個のローラ２，３は瞬時に回転動作を開始する。
【００２３】
また、図２のインデックス機構３０により、回転カム３２の回転が一定回転すると、ローラギャ３４のローラ３３が回転カム３２のカム溝３２ａのうち、駆動停止カム溝（らせん状に形成されたカム溝３２ａのうちローラギャ３４の駆動を一時停止させる例えば平行な部分のカム溝を言う）に至ってローラギャ３４は瞬時に停止し、このため搬送手段４の複数個のローラ２，３もその回転動作を瞬時に停止させ、これにより複数個のローラ２，３間に把持された紙のチューブ体も搬送ライン２の所定位置に瞬時に停止する。したがって、紙のチューブ体は搬送ライン２の所定位置に瞬時に停止し、そこから瞬時に走行を開始するためチューブ体走行停止位置のバラツキを可及的に低下させることが出来ることとなる。
【００２４】
なお、上述した実施例では加工処理手段として紙袋の口部に貼着される口部封緘用テープの貼着処理手段６と、これらテープが貼着された口部をプレス加工処理するプレス加工処理手段７はインデックス機構３０を介することなく、図１で示す駆動モータ５０の駆動軸５５に固着された駆動プーリ５６及びこの駆動プーリ５６に巻回された動力伝達ベルト１１を介して駆動される。
【００２５】
以上説明したように、上述した、紙袋製造装置１によれば、紙のチューブ体を搬送するベルト、あるいはチェーン等の搬送手段４を有する搬送ライン２を、カム機構を主要構成要素とするインデックス機構３０を介在させた駆動手段２０を介して駆動すると、バックラッシュのないインデックス機構３０により搬送されるチューブ体は瞬時にその搬送を停止するので、その位置決め停止精度（割出精度）を極めて高くし、加工処理手段によるチューブ体への加工処理を一層正確に行なって不良品の発生を可及的に低減させることが出来るとともに、インデックス機構３０により機械作動の初期トルクが大きく、且つ瞬時にその動作を停止させることが出来るため搬送手段の立ち上がりおよび停止スピードを一層向上させて、紙袋の製造効率を一層向上させることが出来ることとなる。
【産業上の利用可能性】
【００２６】
以上のように、この発明は、簡単な構造で、チューブ体を搬送ラインの一定位置に可及的に正確に停止させ、しかも紙袋の製造効率を一層向上させるようにした紙袋製造装置に適している。
【図面の簡単な説明】
【００２７】
【図１】図１はこの発明に係る紙袋製造装置の概念正面図。
【図２】図２はインデックス機構の概念正面図。
【図３】図３は他のインデックス機構を示す概念正面図。
【符号の説明】
【００２８】
１…紙袋製造装置
４…搬送手段
５…チューブ体搬送ライン
６，７…加工処理手段
３０…インデックス機構
【図１】
2007083585.tif 000003
【図２】
2007083585.tif 000004
【図３】
2007083585.tif 000005